(57)【要約】【課題】本発明の課題は、簡易な構成でミスコピーの発生を防止できる操作パネル及び画像形成装置を得ることを目的とする。【解決手段】本発明に係る操作ボタン１は、カラー画像形成装置１０内に設けられており、単色画像の作像を開始する単色画像用の開始ボタン７ａと、カラー画像の作像を開始するカラー画像用の開始ボタン７ｂとを備えている。【選択図】図１
2011084069.tif 000002
【特許請求の範囲】
【請求項１】
カラー画像形成装置の操作パネルであって、単色画像の作像を開始する単色画像用の開始ボタンとカラー画像の作像を開始するカラー画像用の開始ボタンとを備えていることを特徴とする操作パネル。
【請求項２】
単色画像用の開始ボタンとカラー画像用の開始ボタンとは互いに異なった色を付してあることを特徴とする請求項１に記載の操作パネル。
【請求項３】
単色画像用開始ボタンとカラー画像用開始ボタンとは互いに異なった形状としていることを特徴とする請求項１又は２に記載の操作パネル。
【請求項４】
単色画像用開始ボタンとカラー画像用開始ボタンとは互いに隣合わせに位置して１つのまとまった図形を成していることを特徴とする請求項１〜３の何れか一項に記載の操作パネル。
【請求項５】
請求項１〜４の何れか一項に記載の操作パネルを備えていることを特徴とするカラー画像形成装置。
【発明の詳細な説明】
【技術分野】
【０００１】
本発明は、プリンタ、ファックス、複写機等の画像形成装置及び操作パネルに関するものである。
【背景技術】
【０００２】
特許文献１には、操作パネル上に設けた開始ボタンを押圧することで、作像が開始する技術が開示されている。
【発明の概要】
【発明が解決しようとする課題】
【０００３】
しかし、特許文献１に記載の従来技術は、開始ボタンが１つのみしか設けられておらず、モノクロ画像を印刷するか、カラー画像を印刷するかの選択は、別途の設定ボタンで行っていた。そのため、例えばコピー設定がカラー画像になっている場合、コピー設定を確認しないまま開始ボタンを押してしまい、モノクロ画像をコピーしたいにも関わらず、カラー画像で作像されてしまうというミスコピーが発生していた。このように、カラー画像の設定のままモノクロ画像をコピーすると、トナー消費量の増大や定着に使用する熱エネルギーの増大、及び色ズレの発生等の不具合が生じるという問題がある。
【０００４】
本発明は、簡易な構成でミスコピーの発生を防止できる操作パネル及び画像形成装置を得ることを目的とする。
【課題を解決するための手段】
【０００５】
前記課題を解決するために、請求項１に記載された発明は、カラー画像形成装置の操作パネルであって、単色画像の作像を開始する単色画像用の開始ボタンとカラー画像の作像を開始するカラー画像用の開始ボタンとを備えていることを特徴とする。
【０００６】
請求項２に記載された発明は、請求項１に記載の発明において、単色画像用の開始ボタンとカラー画像用の開始ボタンとは互いに異なった色を付してあることを特徴とする。
【０００７】
請求項３に記載された発明は、請求項１又は２に記載された発明において、単色画像用開始ボタンとカラー画像用開始ボタンとは互いに異なった形状としていることを特徴とする。
【０００８】
請求項４に記載された発明は、請求項１〜３の何れか一項に記載された発明において、単色画像用開始ボタンとカラー画像用開始ボタンとは互いに隣り合わせに位置して１つのまとまった図形を成していることを特徴とする。
【０００９】
請求項５に記載された発明は、請求項１〜４の何れかに記載の操作パネルを備えたカラー画像形成装置であることを特徴とする。
【発明の効果】
【００１０】
本発明によれば、操作パネルはカラー画像用ボタンと単色画像用のボタンとを備えているので、操作パネル上でカラーコピーとモノクロコピーの開始ボタンの区別をはっきりと認識でき、ユーザの意思とは異なった作像が行われ難く、ミスコピーの発生を簡単に防止することができる。
【図面の簡単な説明】
【００１１】
【図１】第１実施の形態に係る操作パネルを示す平面図である。
【図２】画像形成装置の全体斜視図である。
【図３】第２実施の形態に係る操作パネルを示す平面図である。
【図４】第３実施の形態に係る操作パネルの要部を示す平面図である。
【図５】第３実施の形態の変形例に係る操作パネルの要部を示す平面図である。
【発明を実施するための形態】
【００１２】
以下に、添付図面を参照して、本発明の実施の形態を詳細に説明する。図１は第１実施の形態に係る操作パネルを示す平面図、図２は画像形成装置の全体斜視図である。
【００１３】
本実施の形態に係る画像形成装置はカラーの複写機１０であり、複写機１０本体の上部に原稿をセットする原稿台１１や操作パネル１を備えている。操作パネル１は用紙サイズ、明暗調整、拡大縮小、コピー枚数などの設定を行う設定パネル３と、作像を途中で停止させるストップボタン５と、作像を開始させる開始ボタン７等を備えている。
【００１４】
開始ボタン７には単色画像の作像を開始する単色画像用の開始ボタン７ａとカラー画像の作像を開始するカラー画像用の開始ボタン７ｂとがある。また、それぞれの開始ボタン７ａ、７ｂには互いに異なった色を付してあり、単色画像用の開始ボタン７ａにはオレンジを着色し、カラー画像用の開始ボタン７ｂには青色を着色している。
【００１５】
次に、本実施の形態にかかる作用及び効果を説明する。複写機１０でコピーをとる場合には、原稿台１１に原稿をセットし、設定パネル３上で用紙の大きさの設定、倍率の設定、濃度の設定、コピー枚数の設定等を行う。モノクロ（単色）の画像を出力する場合には、操作パネル１上の単色画像用の開始ボタン７ａを押すことでモノクロモードでの作像が開始され、排紙トレイからモノクロ画像が出力される。カラー画像を出力する場合には、カラー画像用の開始ボタン７ｂを押すことでカラーモードでの作像が開始され、排紙トレイからカラー画像が出力される。
【００１６】
本実施の形態によれば、単色画像用の開始ボタン７ａとカラーコピー用の開始ボタン７ｂとを別々に設けてあるので、操作パネル１上でカラーコピーとモノクロコピーの開始ボタン７の区別をはっきりと認識でき、ユーザの意思とは異なった作像が行われる難く、ミスコピーの発生を防止することができる。
【００１７】
また、単色画像用の開始ボタン７ａとカラー画像用の開始ボタン７ｂとで異なる色としてあるので、色の違いによって両者のボタン７の差異を明確にでき、ミスコピーをさらに防止できる。
【００１８】
次に、本発明の他の実施形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００１９】
図３に示すように、第２実施の形態は単色画像用開始ボタン７ａとカラー画像用開始ボタン７ｂとは互いに異なった形状としてあり、単色画像用開始ボタン７ａを円形に、カラー画像用開始ボタン７ｂを三角形にしている。このように、開始ボタン７を互いに異なる形状としているので、形状の違いによって両者のボタン７の差異を明確にでき、ミスコピーをさらに防止できる。
【００２０】
次に第３実施の形態について説明する。第３実施の形態は単色画像用開始ボタン７ａとカラー画像用開始ボタン７ｂとは同一の円内で隣り合わせに設けてあり、円形の四分円部分をカラー画像用開始ボタン７ｂ、四分円以外の部分を単色画像用開始ボタン７ａとしている。このように、まとまった１つの図形内に各開始ボタン７を設けることで、開始ボタン７の位置を見付け易く、意匠性が良い。
【００２１】
尚、本発明は上述した実施の形態に限定されず、その要旨を逸脱しない範囲で種々の変形が可能である。
【００２２】
図５に示すように、同一の円内に単色画像用開始ボタン７ａとカラー画像用開始ボタン７ｂとを同心円状に設けても良い。
【００２３】
第２実施の形態において、単色画像用開始ボタン７ａを三角形に、カラー画像用開始ボタン７ｂを円形にしても良い。形状は円形と三角形に限定されず、楕円形、四角形その他の多角形にしても良い。
【００２４】
第３実施の形態において、単色画像用開始ボタン７ａを四分円部分に、カラー画像用開始ボタン７ｂを四分円以外の部分にしても良い。まとまった１つの図形は円に限定されず、楕円形でも良く、楕円の左半分を単色画像用開始ボタン７ａとし、楕円の右半分をカラー画像用開始ボタン７ｂにしても良い。
【００２５】
尚、本発明は上述した実施の形態に限定されず、その要旨を逸脱しない範囲で種々の変形が可能である。画像形成装置は上述したような複写機に限らず、プリンタ、ＦＡＸなどであっても良い。
【符号の説明】
【００２６】
１ 操作パネル
７ａ 単色画像用開始ボタン
７ｂ カラー画像用開始ボタン
１０ 画像形成装置
【先行技術文献】
【特許文献】
【００２７】
【特許文献１】特開２００４−１９１７８２号公報
【図１】
2011084069.tif 000003
【図２】
2011084069.tif 000004
【図３】
2011084069.tif 000005
【図４】
2011084069.tif 000006
【図５】
2011084069.tif 000007
【手続補正書】
【提出日】平成22年11月25日(2010.11.25)
【手続補正２】
【補正対象書類名】明細書
【補正対象項目名】０００５
【補正方法】変更
【補正の内容】
【０００５】
前記課題を解決するために、請求項１に記載された発明は、単色画像の作像を開始する単色画像用開始ボタンとカラー画像の作像を開始するカラー画像用開始ボタンとを備え、前記単色画像用開始ボタンと前記カラー画像用開始ボタンとは互いに異なる色を有でかつ異なった分円形状であり、かつ同一の円内に位置して１つのまとまった円形を成していることを特徴とする。
【手続補正３】
【補正対象書類名】明細書
【補正対象項目名】０００６
【補正方法】変更
【補正の内容】
【０００６】
請求項２に記載された発明は、請求項１記載のカラー画像形成装置において、前記カラー画像用開始ボタンは円形の四分円部分を、前記単色画像用開始ボタンは四分円以外の部分をそれぞれ占めることを特徴とする。
【手続補正４】
【補正対象書類名】明細書
【補正対象項目名】０００７
【補正方法】変更
【補正の内容】
【０００７】
請求項３に記載された発明は、請求項１記載のカラー画像形成装置において、前記単色画像用開始ボタンは円形の四分円部分を、前記カラー画像用開始ボタンは四分円以外の部分をそれぞれ占めることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
【図１】カラー画像形成装置の操作パネルの一例を示す平面図である。
【図２】カラー画像形成装置の全体斜視図である。
【図３】カラー画像形成装置の操作パネルの他の一例を示す平面図である。
【図４】本発明のカラー画像形成装置の操作パネルの実施の形態要部を示す平面図である。
【図５】カラー画像形成装置の操作パネルの他の一例の要部を示す平面図である。
【手続補正９】
【補正対象書類名】明細書
【補正対象項目名】００１２
【補正方法】変更
【補正の内容】
【００１２】
以下に、添付図面を参照して、本発明の実施の形態を詳細に説明する。図１は操作パネルの一つの参考例を示す平面図、図２は本発明に係る画像形成装置の全体斜視図である。
【手続補正１０】
【補正対象書類名】明細書
【補正対象項目名】００１６
【補正方法】変更
【補正の内容】
【００１６】
図１、３に示す参考例によれば、単色画像用の開始ボタン７ａとカラーコピー用の開始ボタン７ｂとを別々に設けてあるので、操作パネル１上でカラーコピーとモノクロコピーの開始ボタン７の区別をはっきりと認識でき、ユーザの意思とは異なった作像が行われる難く、ミスコピーの発生を防止することができる。
【手続補正１１】
【補正対象書類名】明細書
【補正対象項目名】００１７
【補正方法】変更
【補正の内容】
【００１７】
また、単色画像用の開始ボタン７ａとカラー画像用の開始ボタン７ｂとで異なる色としてあるので、色の違いによって両者のボタン７の差異を明確にでき、ミスコピーをさらに防止できる。
図３に示す参考例では単色画像用開始ボタン７ａとカラー画像用開始ボタン７ｂとは互いに異なった形状としてあり、単色画像用開始ボタン７ａを円形に、カラー画像用開始ボタン７ｂを三角形にしている。このように、開始ボタン７を互いに異なる形状としているので、形状の違いによって両者のボタン７の差異を明確にでき、ミスコピーを防止できる。
【手続補正１２】
【補正対象書類名】明細書
【補正対象項目名】００１８
【補正方法】変更
【補正の内容】
【００１８】
次に、本発明の実施形態について説明する。尚、以下の説明において、上述した参考例と同一の作用効果を奏する部分には同一の符号を付することにより、その部分の詳細な説明を省略し、以下の説明では上述の参考例と異なる点を主に説明する。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
図４に示すように、単色画像用開始ボタン７ａとカラー画像用開始ボタン７ｂとは同一の円内で隣り合わせに設けてあり、円形の四分円部分をカラー画像用開始ボタン７ｂ、四分円以外の部分を単色画像用開始ボタン７ａとしている。このように、まとまった１つの図形内に各開始ボタン７を設けることで、開始ボタン７の位置を見付け易く、意匠性が良い。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
本発明において、単色画像用開始ボタン７ａを四分円部分に、カラー画像用開始ボタン７ｂを四分円以外の部分にしても良い。まとまった１つの図形は円に限定されず、楕円形でも良く、楕円の左半分を単色画像用開始ボタン７ａとし、楕円の右半分をカラー画像用開始ボタン７ｂにしても良い。
【手続補正１８】
【補正対象書類名】特許請求の範囲
【補正対象項目名】全文
【補正方法】変更
【補正の内容】
【特許請求の範囲】
【請求項１】
単色画像の作像を開始する単色画像用開始ボタンとカラー画像の作像を開始するカラー画像用開始ボタンとを備え、前記単色画像用開始ボタンと前記カラー画像用開始ボタンとは互いに異なる色でかつ異なった分円形状であり、かつ同一の円内に位置して１つのまとまった円形を成していることを特徴とするカラー画像形成装置。
【請求項２】
請求項１記載のカラー画像形成装置において、
前記カラー画像用開始ボタンは円形の四分円部分を、前記単色画像用開始ボタンは四分円以外の部分をそれぞれ占めることを特徴とするカラー画像形成装置。
【請求項３】
請求項１記載のカラー画像形成装置において、
前記単色画像用開始ボタンは円形の四分円部分を、前記カラー画像用開始ボタンは四分円以外の部分をそれぞれ占めることを特徴とするカラー画像形成装置。